(57)【要約】      （修正有）【課題】入院患者のような眼鏡を掛けたまま横向きになる場合にも快適に使用でき、鼻梁の形態により滑落しやすかったのを防止でき、身体の肥痩により顔の幅等が変化しても使用でき、レンズが再利用可能なフレームを備える眼鏡を提供する。【解決手段】眼鏡のフレーム２を粘着素材、又は眼鏡フレーム２に粘着性を有する素材を取り付け、又はレンズ１に粘着素材からなる部材を取り付けることにより、止着手段をつるを使用せず、圧装着出来るようにした。【選択図】図１
2014191019.tif 000002
【特許請求の範囲】
【請求項１】
つる無し眼鏡において、眼鏡のフレームを粘着素材とした事を特徴とする着脱式眼鏡。
【請求項２】
つる無し眼鏡において、眼鏡のフレームの顔面側に粘着性を有する素材を取り付けた事を特徴とする着脱式眼鏡。
【請求項３】
つる無し眼鏡において、２個のレンズを粘着素材で構成された連結部材で連結し、各レンズに少なくとも1個以上の粘着素材で構成された支持部材を装着した事を特徴とする着
脱式眼鏡。
【発明の詳細な説明】
【技術分野】
【０００１】
本発明は眼鏡を粘着部で簡単装着するようにした、着脱式眼鏡に関するものである。  
【背景技術】
【０００２】
従来の眼鏡は左右のレンズをフレームで連結し、フレームのほぼ中央部に一対の鼻当てパッドを設け、フレームの左右両端につるを取り付けたものが一般的であるが、眼鏡をしたまま横向きになり読書をしようとすれば眼鏡のつるが耳にあたり使用上不便である。これは、上向きに寝ることが出来ないものにとってはより不便である。又、鼻梁の高低により、眼鏡が滑落しやすく調整しなければならない。又、体が肥痩のたびに顔の幅が変化し、その度調整が必要である。つるが無い鼻眼鏡等もあるが従来のつる無し眼鏡は、鼻当てパッドの鼻当て面にシリコン樹脂などの摩擦抵抗の大きい層を設けて滑り難くしたり、鼻当てパッド間にばね性を持たせて鼻柱上部を弾発挟持出来るようにしたものであったが、短時間の装着はよいがばねで挟まれた抵抗感があり長時間の使用には耐えられない。
【先行技術文献】
【特許文献】
【０００３】
【特許文献１】特開２００５−１２８４６３
【特許文献１】特許第３９５７７０１
【特許文献１】実登第３１０５３６３
【特許文献１】実開平０４−０１１０１９
【発明の概要】
【発明が解決しようとする課題】
【０００４】
従来の眼鏡は、眼鏡をしたまま横向きになり読書しようとすれば、つるが耳にあたり使用上不便である。鼻梁の形状等により滑落しやすいため調整しなければならない。太ったり痩せたりすれば顔の幅も変わるが、フレームの幅が決まっているため、その度に調整しなければならないなどの課題があった。そこで、簡素な構成により、着脱が簡便で多目的に使用できるようにした着脱式眼鏡を得ることにある。
【課題を解決するための手段】
【０００５】
本発明は、前記のような課題を解決するために、眼鏡のフレームを粘着素材で構成し、そのフレームにレンズを取り付けることで、該止着手段がつるを使用せず、皮膚に圧装着するようにしたものである。
【０００６】
本発明の請求項１の止着手段は、皮膚に対して着脱自在な接着、または粘着できるようにしている。このため、装着時に保持力が強く、長時間にわたる連続使用、及び復数回の使用に耐えることが出来る。粘着素材として商品名NuBra(女性用ブラジャーで、装着手段として、粘着性の素材で構成され、ヒモ、又は胸囲を包む布部分を使用せず、乳房部分を粘着素材のみで保持するようになっている）とか、商品名冷えピタ（額に直接貼り付けて使用する、熱冷まし用シート）のように複数回の装着ができ、皮膚への抵抗がでない素材で、粘着性を持ったものとする。
【０００７】
上記構成においては、眼鏡のフレーム２が粘着素材で構成されていてフレームに眼鏡のレンズ１を装着させ、フレーム２を皮膚に圧装着させて使用する。
このとき、顔面形状にあわせて、フレーム２の左右の目尻部分の、接着面側を厚くする
ことで顔の目尻部分のくぼみを、又、フレーム２の鼻梁部にあたる中心部の、接着面側を厚くすることで、顔面に圧装着したときに、より密着度が向上し、保持力が増すよう構成させてもよい。密着させた時、レンズ１の曇りを防止するための空気の通気部として、フレームに孔５、又は溝を設ける。レンズに直接孔を開けてもよい。
【０００８】
本発明の請求項２は、眼鏡のフレーム１３の顔面側に粘着性を有する素材１２を取り付け、顔面に対して着脱自在な接着、または粘着できるようにしている。粘着性を有する素材１２は、商品名NuBra、または、商品名冷えピタのように複数回の装着ができ、皮膚への抵抗がでないシート状の素材で、粘着性を持ったものとしている。
【０００９】
本発明の請求項３は、フレームの無い左右のレンズ１を溝を入れた連結部材３で連結し、左右のレンズ１夫々に溝を入れた支持部材４を取り付け、皮膚に圧装着出来るようにしている。
【発明の効果】
【００１０】
フレームが粘着素材で構成されているので、つるを使用せず皮膚に圧装着するので、眼鏡を掛けたまま横向きになり読書等をおこなっても耳が痛くならない。これは入院していて上向きに寝られない患者等には特に快適である。
鼻梁の形態により滑落しやすかったのを防止でき、調整が不要である。
身体の肥痩により、顔の幅等が変化しても使用でき、調整が不要である。
美容院等で読書などをする時、従来の眼鏡だとつるがじゃまになったが、耳元に干渉せず、美容作業に支障をきたさない。
又、使用していた眼鏡のフレームを取り外し、レンズを再利用することができる。
眉間等に圧着させて使用するので、美容上皺予防も考えられる。
又、ペットのサングラス等にも使用することが出来る、等の効果を期待出来る。
【図面の簡単な説明】
【００１１】
【図１】本発明の第１実施例における正面図である。
【図２】図1のＸ−Ｘ線から見た断面図である。
【図３】本発明の第１実施例の通気孔５を設けた場合の断面図である。
【図４】本発明の第２実施例の正面図である。
【図５】図４のＹ−Ｙ線から見た断面図である。
【図６】本発明の第３実施例における正面図である。
【図７】図６の支持部材４の取り付け位置を変化させたものである。
【図８】本発明の第３実施例における連結部材３の斜視図である。
【図９】本発明の第３実施例における支持部材４の斜視図である。
【図１０】本発明の着用状態を表す参考図である。
【発明を実施するための形態】
【００１２】
次に、本発明を実施させるための請求項１の形態について図面を参照しながら、図１を例に説明する。ただし、以下に示す実施例は、本発明の技術思想を具体化するための着脱式眼鏡を例示するものであって、以下のものに特定しない。
【実施例】
【００１３】
図１は請求項１記載のフレーム２を粘着素材にした１実施例を示すもので、フレーム２にレンズ１を装着する構造になっている。フレーム２には、レンズ１をはめ込むように設けた溝６が設けてある。粘着素材は柔軟性があり、表面に粘着性を有するものであって,例えば商品名ヌーブラに使用されている感圧粘着材（ＰＳＡ）のような多数回の着脱が可能な材料で作られている。レンズ１は柔軟性を有するフレーム２に設けた２個の穴をそれぞれ拡
広してその溝６にはめ込む。
図２は図1のＸ−Ｘ線から見た断面図で、フレーム２にレンズ１を装着した実施例を示すものである
。
図３は、フレーム２の顔面側に通気孔５を貫通させるように設け、レンズ１を装着した断面図で１実施例を示すものであり、又通気孔５はフレーム２に適宜加工を施す。
【００１４】
図４は請求項２記載の、眼鏡フレーム１３の顔面側に粘着性を有する素材１２を取り付けた１実施例を示すもので、顔面側の粘着性を有する素材１２は柔軟性があり、表面に粘着性を有するものであって感圧粘着材（ＰＳＡ）のような多数回の着脱が可能な材料で作られている。
図５は図４のＹ−Ｙ線から見た断面図で、眼鏡フレーム1３に粘着を有する素材1２を取り付けてある実施図を示すものである。
【００１５】
次に本発明を実施させるための請求項３の形態について図６を例に説明する。
【００１６】
図６は請求項３記載の、粘着素材で構成された図８の連結部材３にレンズ１をはめ込むように設置した溝７に、左右レンズ１を差し込み、そのレンズ１の下端部に図９の支持部材４で保持させるように溝８に差し込み、一体化させた１実施例を示すものである。左右レンズ１、連結部材３、及び２個の支持部材４で構成される眼鏡９は、連結部材３、２個の支持部材４の３箇所で顔面に装着される。図７は請求項３に記載の他の実施例であり、２個の支持部材４を両側端部に差し込み一体化させたものである。
【符号の説明】
【００１７】
１  レンズ
２  フレーム
３  連結部材
４  支持部材
５  通気孔
６  フレーム２に設けた溝
７  連結部材３に設けた溝
８  支持部材４に設けた溝
９  眼鏡
１０  眼鏡
１２  粘着性を有する素材
１３  眼鏡フレーム
【図１】
2014191019.tif 000003
【図２】
2014191019.tif 000004
【図３】
2014191019.tif 000005
【図４】
2014191019.tif 000006
【図５】
2014191019.tif 000007
【図６】
2014191019.tif 000008
【図７】
2014191019.tif 000009
【図８】
2014191019.tif 000010
【図９】
2014191019.tif 000011
【図１０】
2014191019.tif 000012